Podtech/llm-jp-corpus-v4-ja_patent huggingface dataset:
(57)【要約】      （修正有）【課題】鉄筋を切断したり、傷つけることがなく、小口径の削孔ができるウォータージェット小口径回転式削孔及び配管内スケール除去用専用ノズルを提供する。【解決手段】ノズルチップは１ピース２オリフィスで特定の仰角を与えた構造になっており、回転時に先端軌跡は交叉するように設計されている。そしてノズルチップが１個である為、ノズルヘッド面積を小さくすることが可能になり、小口径の削孔が可能になった。【選択図】  図１
2006102928.tif 000002
【特許請求の範囲】
【請求項１】
１個の天然ダイヤ、人工ダイヤ、サファイア、セラミックないし超硬金属に２個以上のウォータジェットオリフィスを有する多穴ノズルを使用した圧力５０ＭＰＡから３８０ＭＰＡのウォータージェットシステム。
【請求項２】
オリフィス径の１００倍から２００倍のスタンドオフ点で２個以上の水流の軌跡が交錯するように仰角を与えた多穴式ノズル。
【請求項３】
２個以上のオリフィスの位置は回転中心より同じ側に位置し、仰角１６度から３０度の間の角度を有し、回転時の反力のバランスを考慮しノズルヘッドが削孔時に変心運動を起こさなくなり、ホルダーの摩滅消耗を減少させ、遠心力を打ち消すようにウォータージェットの水量を計算してオリフィス径を決めたノズル構造を有する。
【発明の詳細な説明】
【発明の詳細な説明】
【技術分野】
【０００１】本発明は、ウォータージェトシステムにおける小口径削孔システムに関するものである。
【背景技術】
【０００２】従来、削孔作業を行なう場合、ダイヤモンドコアーやハンマードリルが主流であるが、鉄筋を切断したり、傷つける事がコンクリートの耐震補強やリノベーション工事施工上において大きな問題になっている。施工速度が遅い事も工程上問題になっているが諦められていた。また内径４０ｍｍ配管内スケール除去においても、ある硬さ以上（破壊強度３００ｋｇ平方センチ）のスケールは除去効率が極端に低下して経済性が無く採用されていなかった。
【発明が解決しようとする課題】
【０００３】土木建築等の現場においてコンクリートの削孔作業を行なう場合、従来はダイヤモンドコアーやハンマードリルを採用してきたが、何れも鉄筋を切断してしまう問題を避けられず問題に為っている。この問題をウォータージェット削孔により解決する為に開発されたのが本発明である。
【課題を解決する為の手段】
【０００４】本発明者は、前記課題を解決すべく鋭意研究を重ねた結果、本発明を完成するに至った。即ち、超高圧ウォータージェット削孔システムは、削孔効率の点で在来工法の２倍近い効率を持っているが８０ｍｍφ以下の小口径の削孔は技術的に不可能とされていた。これは先端ノズルホルダー部の物理的構造の限界から８０ｍｍφ以下の小口径の削孔が出来なかった。
この問題は先端に装着されているノズルオリフィスの直径に起因するものである。ウォータージェット削孔の場合、前進する為には，２個以上のノズルに一定の角度を与えて回転させる。この２個以上のノズルを格納するホルダーの強度の問題から今まで小口径のノズルホルダーが製作出来なかった。
この問題を解決する為に１つのノズル原石に２穴以上のオリフィスをあけたコンパクトなノズルを製作し，先端ノズルホルダーの小型化を達成したものである．
【発明を実施するための最良の形態】
【０００５】物性項目
（１）圧力              ２４５ＭＰＡ
（２）水量              ２５Ｌ／ｍｉｎ
（３）水馬力            ２５０馬力【０００６】ノズル条件
（１）ノズル径０．７ｍｍφ×２個
（２）仰角                １６度
（３）水馬力  １穴当り  ６０馬力
【実施例１】
【０００７】次に本発明を実施例により、さらに詳細に説明する。
（１）圧力                        ２５０ＭＰＡ
（２）水量                        ２７Ｌ／ｍｉｎ
（３）水馬力                      １２０馬ｒ力
（４）ズルチップ径                １５ｍｍφ
（５）ノズルホルダー径            ２８ｍｍφ
（６）ノズルホルダー材質          特殊合金
（８）削孔速度                    １００ｍｍ毎分
（９）ホルダー回転数              １２０ｒｐｍ
（１０）試供体コンクリート強度    ２８０ｋｇ
（１１）削孔効率                  １００ｍｍ／分
（１２）削孔径                    ４０ｍｍφ
【発明の効果】
【０００９】本発明の効果は従来の超高圧水ハツリシステムのハツリ効率と比較すると以下の如く，確認できる。従来のシステムに対して小型のシステムで１０倍近い効率を確保できる。
2006102928.tif 000003
【図面の簡単な説明】
【００１０】
【図１】１ピースの原石に回転軌跡上でクロスする事と回転時の遠心力をバランスさせるように計算された仰角をつけたオリフィスを２穴あけたノズルにより従来の超高圧スイ削孔ノズルより小口径の作業が可能になったノズル構造をである
【符号の説明】
【００１１】１．２穴複合ダイヤモンド原石（ＰＣＤ）及び超硬台座
２．削孔用ノズルボディー（ＳＵＳ６３０）
３．ホルダー（窒化処理鋼ないしチタン合金）
４．超高圧シャフト
５．超高圧水
６  超高圧交差水
【図１】
2006102928.tif 000004
(57)【要約】      （修正有）【課題】病気、怪我などでの発熱時に必要とされる時間分、継続して冷やすことができ、看護する人の長時間にわたる負担を軽減し、発熱した当人にも連続した効果的な看護ができるようにすること。【解決手段】ペルチェ素子と呼ばれる特殊な半導体を用いた冷却器で、温度設定装置、体温測定装置、タイマー２、アラーム３などで構成される。病気や怪我などで発熱した人に、連続的に効率良く患部等を冷やすことにより、体温を下げるとともに、看護する人の負担を軽くすることができる。【選択図】図１
2006102450.tif 000002
【特許請求の範囲】
【請求項１】
疾病や怪我等で発熱した時などに、体温を下げたり、患部等を冷却する目的で使用する冷却器。
【発明の詳細な説明】
【技術分野】
【０００１】この発明は、主に病気や怪我などの発熱時に使用する冷却器です。例えば家庭での発熱では、家庭電源を利用し作動させ、頭部に乗せたり、下に敷いたりして熱を下げます。また電源を変えて自動車や船などに用意しておけば、旅行先やアウトドアでの発熱時にも利用できます。また、規模や形状や仕様を変えて産業用として病院や各種施設等でも利用でき、頭部以外の場所にも利用できます。
この装置には、体温計や冷却温度設定やタイマーがついており、症状によって各調節を可能にします。
【背景技術】
【０００２】従来は、発熱時には氷嚢を使ったり、冷却ジェルなどを頭部に貼ったりして、短時間しか冷却できなかったため、看護する人は何度も取り替えたりしなければならなかった。
【発明の開示】
【発明が解決しようとする課題】
【０００３】家庭では、急な発熱にあわてたり、氷を買いにいったり、夜中に何度もとりかえねばならず、看護する人の年齢や体力によっては、大変なこともあるので、それらの負担を軽くできるとともに、体温計により瞬時に患者などの体温を常に知ることができる。
病院や各種施設、自動車や船など様々な分野での利用が可能となる。
【課題を解決するための手段】
【０００４】電源を入れると、ペルチェ素子と呼ばれる、電流を流すと片側が熱くなり、他方が冷たくなる特殊な半導体の作動でプレート（１）等を冷やす。ペルチェ素子の片側からは放熱される。（ペルチェ素子は重ねることによって冷却温度をさらに下げることができる）
冷却時間の長さを設定するタイマー（２）、アラーム（３）、体温計（４）なども装備する。（図１、図２参照）
【作用】
【０００５】冷却したい患部等に冷却プレート（１）を使用し、電源（６）を入れ、ペルチェ素子の作用により発熱を下げる。
【実施例】
【０００６】病気、怪我などでの発熱時（家庭での看護の場合）に必要とされる時間分、継続して冷やすことができる。又、病院、アウトドア、災害時、船舶等で通常、あるいは緊急時に使用できる（プレートの数を複数にして同時に何人も、あるいは何ケ所にも）。
【発明の効果】
【０００７】看護する人の長時間にわたる負担を軽減し、発熱した当人にも連続した効率的な看護ができる。
【発明を実施するための最良の形態】
【０００８】子供、女性、高齢者が使用する頻度も高いので、使いやすく、ディスプレイの文字なども大きく表示されるよう工夫されていることが大切。
【産業上の利用可能性】
【０００９】家庭での発熱緩和以外にも、電源を変えて自動車や船などに用意しておけば、旅行先やアウトドアでの発熱時にも利用できます。また、規模や形状や仕様を変えて産業用として病院や各種施設、災害時にも利用でき、頭部以外の場所にも利用できます。
【図面の簡単な説明】
【００１０】
【図１】全体図
【図２】冷却の仕組み
【符号の説明】
【００１１】（１）  冷却プレート（ペルチェ素子）
（２）  タイマー
（３）  アラーム
（４）  体温表示
（５）  温度設定、表示
（６）  電源スイッチ
【図１】
2006102450.tif 000003
【図２】
2006102450.tif 000004
(57)【要約】【課題】頭で考えるとともに適度に手先も動かし脳の活性化につながるコマ並べ変え遊具を提供する。【解決手段】円筒体の周壁に仕切り壁を等間隔に設け、円筒体を複数個軸に回転自在に取り付け、仕切り壁と仕切り壁の間のスペ−スを移動するコマを設けたことを特徴とするコマ並べ変え遊具。【選択図】図１
2006102444.tif 000002
【特許請求の範囲】
【請求項１】
円筒体の周壁に仕切り壁を等間隔に設け、円筒体を複数個軸に回転目在に取り付け、仕切り壁と仕切り壁の間にコマを設けたことを特徴とするコマ並べ変え遊具。
【発明の詳細な説明】
【技術分野】
【０００１】  本発明は、複数個の円筒体を軸に回転自在に取り付け、円筒体の周壁を仕切りコマを設けたコマ並べ変え遊具に関するものである。
【背景技術】
【０００２】  従来、正方形の盤上に設けた１６升目に、コマを１５個設け、空いてる１升目にコマを移動させ、コマの並べ変えをする遊具があった。
【発明の開示】
【発明が解決しようとする課題】
【０００３】  そのために、次のような問題があった。
（イ）コマは、一回に１升目しか移動することができないため、完成に時間が掛かることがあった。
（ロ）前半は簡単に並べることができるが、全体を一目できることから終盤になるほどコマの移動範囲を自然に狭くしてしまい、同じところを繰り返し移動していることがありストレスを感じることがあった。
本発明は、これらの問題点を解決するためになされたものである。
【課題を解決するための手段】
【０００４】  円筒体の周壁に仕切り壁を等間隔に設け、円筒体を複数個軸に回転自在に取り付け、周壁に設けた仕切り壁と仕切り壁の間のスペ−スを移動するコマを複数個設ける。以上を特徴とするコマ並べ変え遊具である。
【発明の効果】
【０００５】  円筒体の回転によるコマ移動と、円筒体から円筒体へスライドによるコマ移動を組み合わせることで、短時間でコマの並べ変えを完成することができる。
頭を使うとともに適度に手先も動かすので、脳の活性化につながり、ストレスを感じることなくコマの並べ変えを完成することができる。
【発明を実施するための最良の形態】
【０００６】  以下、本発明の実施の形態について説明する。
（イ）円筒体（１）の周壁（２）に仕切り壁（３）を等間隔に４箇所設け、周壁（２）を４分割して仕切り壁（３）と仕切り壁（３）の間にスペ−ス（４）を４箇所設ける。
（ロ）円筒体（１）を複数個軸（５）に回転自在に取り付ける。
（ハ）スペ−ス（４）の総数より１個少ない数のコマ（８）をスペ−ス（４）に設け、空のスペ−ス（４）を１箇所設ける。
（ニ）軸（５）の両端に側板（６）を設け、円筒体（１）の両端に側板（７）を設ける。
本発明は以上のような構成で、これを使用するときは、両手で持って円筒体（１）を回転させてコマ（８）の位置を変え、空のスペ−ス（４）に円筒体（１）から円筒体（１）へコマ（８）を移動することを繰り返してコマの並べ変えが完成できる。
【実施例１】
【０００７】  図５に示すように、円筒体（１）の数を増やしコマ（８）の数を多くしてもよい。
円筒体（１）を回転させてコマ（８）の位置を変え、空のスペ−ス（４）に円筒体（１）から円筒体（１）へコマ（８）を移動する回数も増え、並べ変えの難易度を上げることができる。【０００８】  図６に示すように、円筒体（１）の周壁に設けるスペ−ス（４）の数を減らしコマ（８）の数を少なくしてもよい。
円筒体（１）を回転させてコマ（８）の位置を変え、空のスペ−ス（４）に円筒体（１）から円筒体（１）へコマ（８）を移動する回数も減り、並べ変えの難易度を下げることもできる。
【図面の簡単な説明】
【０００９】
【図１】  本発明の斜視図である。
【図２】  本発明の実施例を示す斜視図である。
【図３】  本発明の縦断面斜視図である。
【図４】  本発明の横断面図である。
【図５】  本発明の他の実施例を示す斜視図である。
【図６】  本発明の他の実施例を示す斜視図である。
【符号の説明】
【００１０】  １  円筒体
２  周壁
３  仕切り壁
４  スペ−ス
５  軸
６  側板
７  側板
８  コマ
【図１】
2006102444.tif 000003
【図２】
2006102444.tif 000004
【図３】
2006102444.tif 000005
【図４】
2006102444.tif 000006
【図５】
2006102444.tif 000007
【図６】
2006102444.tif 000008
(57)【要約】【課題】  靴下を履く時に、股関節などが悪く足を縮めることのできない人が、靴下をつま先に引っ掛けやすくするための、靴下履き補助具を提供する。【解決手段】  先端を湾曲上に突出させた船底形状の足底板は、長尺方向に中央に折り曲げ部を設け、足底板の両側に側壁を設け、それぞれの側壁の後方の対抗する位置に回転軸を介して、回動自在に下支軸と上支軸を設ける。以上よりなる靴下履き補助具。【選択図】  図１
2006102443.tif 000002
【特許請求の範囲】
【請求項１】
先端を湾曲上に突出させた船底形状の足底板は、長尺方向に中央に折り曲げ部を設け、足底板の両側に側壁を設け、それぞれの側壁の後方の対抗する位置に回転軸を介して、回動自在に下支軸と上支軸を設ける。以上よりなる靴下履き補助具。
【発明の詳細な説明】
【技術分野】
【０００１】  本発明は、股関節などが悪い人が、靴下を履く時に、足のつま先に靴下を引っ掛けやすくする、靴下履き補助具に関するものである。
【背景技術】
【０００２】  靴下を履く時は、足を縮めたりして靴下を履いている。
足の悪い人は、足を縮めたりする事ができないため、他の人に靴下を履かせてもらったりしていた。
【発明の開示】
【０００３】  そのために、次のような問題点があった。
靴下を履く際、靴下を足のつま先に引っ掛けようとする時に、足が縮められないので、一人でいる時は、他の人にも頼めず、靴下を履くのがとても大変だった。
本発明は以上の問題点を解決しようとするものである。
【課題を解決するための手段】
【０００４】  先端を湾曲上に突出させた船底形状の足底板は、長尺方向に中央に折り曲げ部を設け、足底板の両側に側壁を設け、それぞれの側壁の後方の対抗する位置に回転軸を介して、回動自在に下支軸と上支軸を設ける。以上よりなる靴下履き補助具。
【発明の効果】
【０００５】  本発明は、股関節など足の悪い人が靴下を履く時に、靴下を足のつま先に引っ掛けやすくする。したがって、他の人に靴下を履かせてもらうというわずらわしさがない。
【発明を実施するための最良の形態】
【０００６】  以下、本発明の実施の形態を説明する。
（イ）先端を湾曲上に突出させた船底形状足底板（１）は長尺方向に中央に折り曲げ部（３）を設ける。
（ロ）足底板（１）の両側に側壁（２ａ）（２ｂ）を設け、それぞれの側壁（２）の後方の対向する位置に回転軸（６ａ）を設け、回転軸（６ａ）介して回動自在に下支軸（４）を設け、下支軸（４）の後端に回転軸（６ｂ）を介して回動自在に上支軸（５）を設ける。
（ハ）下支軸（４）と上市軸（５）は側壁（２ａ）（２ｂ）の後方に対向して設ける。
本発明は、以上の構成によりなっている。
本発明を使用するときは、上記の足底板（１）を折り曲げ部（３）により二つ折りにした状態で、そこに靴下を差し込み履かせ、足底板（１）を平らにする。柄（７）を手でにぎって、足底板（１）に足のつま先を挿入させたら、柄（７）を引っ張り、足底板（１）を靴下から外す。この結果、つま先に靴下が引っ掛けられ、あとは靴下を引き上げれば、苦労せずに靴下を履く事ができる。
【図面の簡単な説明】
【０００７】
【図１】本発明の斜視図
【図２】本発明の使用状態を示す斜視図
【図３】本発明の使用状態を示す斜視図
【符号の説明】
【０００８】      １    足底板
２ａ  側壁
２ｂ  側壁
３    折り曲げ部
４    下支軸
５    上支軸
６ａ  回転軸
６ｂ  回転軸
７    柄
【図１】
2006102443.tif 000003
【図２】
2006102443.tif 000004
【図３】
2006102443.tif 000005
(57)【要約】【課題】  この発明は、車椅子等に乗ったままの状態で入浴を可能とする入浴装置に関するものである。【解決手段】扉のある外壁浴槽とシ−ト状バスタブの組み合わせた構成により、浴槽の障壁を解消するものである。【選択図】図１
2006102442.tif 000002
【特許請求の範囲】
【請求項１】
扉と台座のある長方体の浴槽外枠１のバスタブ固定具３に、シ−ト状のバスタブ５を懸架することにより浴槽としての機能を有し、入浴者出入りの際は、出入り口直近の浴槽外枠底面にバスタブ縁枠６の一方を下ろし、当該箇所上にスロ−プ板７を渡すことにより車椅子等の出入りが可能となる介護入浴装置。
【発明の詳細な説明】
【発明の詳細な説明】
【技術分野】
【０００１】  本発明は、浴槽の出入りの際に生ずる障壁を解消することにより、車椅子に乗車のまま等の状態で入浴を可能とする入浴装置に関するものである。
【背景技術】
【０００２】  現在、要介護者の入浴は、主に次のような状況にある。
先ず、家庭内においては、浴室の既設浴槽を利用するか、簡易浴槽を寝室等に持ち込み、介護者または家族の介添えにより行われている。あるいは、介護専門業者の派遣により給湯設備と浴槽を持ち込み、一切のサ−ビスの提供をうける等である。
次に、老人ホ−ムやその他介護施設等に入居している場合には、入浴設備も整い専門職員により行われるが、これには入居の制限等がある。また、入浴設備としては、水平昇降移動などの介護作業を機械化した装置等が開発されている。
対応としては、身近な人力に頼るか、施設等の拡充か、あるいはまた手近に利用できる設備が開発されるのを期待することになるが、これらについては介護保険制度の健全な運営の観点にたった開発と実施が必要と思われる。
【発明が解決しようとする課題】
【０００３】  要介護者にとって、入浴は衛生面もさることながら、病床生活からのストレス解消効果もあり、医療行為の一つとも見られる。したがって、安全かつ身近で手軽な利用への期待と要望が強い。
したがって、車椅子の利用者が家庭で入浴する場合には、その殆どが介護者の労力による介護誘導によるか、または一部電動リフトなどを設備することになるが、いずれにおいても省力化と危険防止への配慮が必要である。
本発明は、動力、機械力等を一切使用せず、当装置の使用にあたって設置場所に特別な改造とか設備等も不必要である。また、構造も極めてシンプルなため取り扱い操作に習熟を要さない。
【課題を解決するための手段】
【０００４】  従来の家庭用浴槽を、構造的に外壁部分と内壁に二分する考え方にたち、外壁に相当するものは扉をつけた長方体の浴槽外枠１で、内壁に相当するものはシ−ト状のバスタブ５である。
そして、浴槽の出入り障壁を、このバスタブの伸縮自在な性質を利用して解消することが、本案の特徴である。
浴槽外枠１は一辺に扉を有し、内壁の上部にバスタブ５を係留するバスタブ固定具３を配す、底面には台座４があって入浴者はこの上に位置する。台座の周辺は浴槽外枠の底面となり、一方のバスタブを下げた際のバスタブのタルミ部分を、一部収容することになる。また、浴槽外枠内部に発生する水滴の受け皿となり、専用の排水口を持つ。
バスタブは防水性のシ−トで上端にバスタブ縁枠６があり、浴槽外枠の内壁にあるバスタブ固定具３に対応する仕上げとなる。
利用者が出入りする際には、このバスタブの一端を浴槽外枠の入り口方向の底面に下ろし、反対に位置するバスタブの端は、浴槽外枠の内側中段にある仮置き止め具に係留する。底面に下ろしたバスタブの先端を跨ぎ、フロア面と浴槽内にスロ−プ板７を渡して入浴準備が完了する。
【発明を実施するための最良の形態】
【０００５】  車椅子利用者が本装置で入浴する場合には、先ず、浴槽外枠１の扉２を開けバスタブ５を浴槽外枠の台座４の上に底面部分を広げて置き、次に、出入り口方向に位置するバスタブ縁枠６を浴槽外枠台座４の外周底面にまで下げ、後方のバスタブ縁枠は浴槽外枠の内側中段にある仮置き止め具に係留し、バスタブは出入り口方向に傾斜させてセットする。外周底面にまで下げたバスタブ縁枠を跨ぐ形で、部屋の床面と台座の上に位置するバスタブの底面にスロ−プ板を渡す。図面第一図がこの状態を示すものである。
入浴者がバスタブの略中央である定位置に進んだ後、スロ−プ板を外し、バスタブ全体を引き上げて扉を閉める。最後に、バスタブを浴槽外枠に固定することにより、浴槽内に収容された状態となり給湯を始める。
事後、バスタブ専用の排水口を開けると同時にシャワ−で洗身し終了する。後処理としては、扉を開け出入り口方向のバスタブ縁枠を底面に下げ、当該箇所にスロ−プ板を渡して退出する。
なお、肢体不自由度合いが軽微な場合は、あらかじめ浴槽内にバスチェア−を置き、浴槽の直前で車椅子から移動することによる入浴方法もとれる。この場合も移動時の危険度合いは、従来の浴槽を利用するよりも安全であり、介護者の労働負担も軽く、入浴用の特殊な車椅子も不要となる。
【発明の効果】
【０００６】  要介護者が入浴する場合には、移動時の安全が第一であるが、それと同時に介護側の労力負担の軽減が必要である。
本案は、車椅子に乗った状態で入浴を可能とするもので、移動時の危険が無く、極めてシンプルな構造で成り立ち、動力等は一切使用せず取り扱いも簡単である。
浴槽外枠の材質について軽量化を図ることにより、一般家庭での利用も可能である。また、バスタブを複数用意することにより、利用者別に使い分けることが出来るので施設等で共用する場合においても衛生的であることが特徴となる。
【図面の簡単な説明】
【図１】本発明のセット状態の一部断面斜視図である。
【図２】同じく入浴可能状態の斜視図である。
【符号の説明】
１  浴槽外枠
２  出入口扉
３  バスタブ固定具
４  台座
５  シ−ト状バスタブ
６  バスタブ縁枠
７  スロ−プ板
【図１】
2006102442.tif 000003
【図２】
2006102442.tif 000004
(57)【要約】【課題】    お米を炊飯前に手洗いで奇麗に洗う改革【解決手段】    過去から現在に至るまでお米をバラで洗っていたが，手で洗うと米粒がこぼれたり奇麗にするのも大変でした。袋を利用して袋と米を一体化させた事によりお米をこぼさず，洗う事も簡単になり効率の良い解決出来る糸口を掴んだ。【選択図】  図１
2006102448.tif 000002
【特許請求の範囲】
【請求項１】
一回の炊飯量の米を袋の中に入れ，口を塞ぎ水に入れ揉むと，袋の中は，外からの圧迫で米粒に付着している不純物を摩擦で落し  お米を奇麗に仕上げ米本来の旨味を引き出す手洗いの袋，袋は布製で〔図１〕参照底部の隅となる部分に角を付けず丸くする。〔図２〕中に米を入れ口を塞いだ形状，米が平均に洗え又取り出し易くした事を特徴とした袋。
【発明の詳細な説明】
【技術分野】
【０００１】    日本国民の主食  お米を炊飯前に磨ぐ。洗い方
【背景技術】
【０００２】
【特許文献１】
【特許文献２】
【非特許文献１】
【非特許文献２】
【発明の開始】
【発明が解決しようとする課題】
【０００３】    普通米を炊飯する時に，お米を洗う方法ですが，今迄は容器又は炊飯釜に米をバラバラな状態に水を入れ手で捏ね掻き回して洗う事が日本人の常識で，手洗いする場合は手に触る範囲が限定され米粒のこぼれる恐れがある。
【０００４】    米を奇麗に最大限に磨く・新鮮味・旨味を引き出すお米を手洗いで洗う洗浄方法。（無洗米を除く）
【課題を解決するための手段】
【０００５】    一炊飯量のバラ米を水の中で手洗いする時，手に触れる範囲の米には限度があり，そこで袋を利用し袋と米と一体化し一緒に揉み洗いする。
袋に米と一体化した理由は，手に触る範囲を広げ逆に袋の中は米の密着度が高くなり揉むと米と米との摩擦で隅々の米まで磨き効率を上げ堅実に無駄を省く。
【発明の効果】
【０００６】    摩擦で米に付着している不純物や皮膜が取れ透き通った様な米に蘇り全体的に洗い残しがなくお米もこぼれず洗い方も簡単になった。
【０００７】    節水・洗う時間の短縮
【発明を実施するための最良の形態】
【０００８】    庶民的な商品で  特に家庭向けに販売指導を目指す。【０００９】    宣伝を兼ね炊飯器具や計量米びつに付属品となる様な目標希望している。
【実施例】
【００１０】    簡単で斑なく奇麗になり一度試して実験して頂くと良く分かりますが使うと便利の良さに，無くてはならない存在で最大限の洗浄が出来る。
【産業上の利用可能性】
【００１１】
【００１２】    お米は日本国民の主食で日常朝夕２回の炊事支度をします。お米を洗うと言う事は各家庭に必要な事で需要性は大である  使ってみて始めて判る簡単操作と便利さが優先する商品で米を奇麗に洗う手洗いの改革だと思っています。今後は世間に貢献の気持ちと人に喜ばれる商品として宣伝し生かしていく所存です。【００１３】    製作が簡単・消耗品で商品が安い・大量生産可能。
【図面の簡単な説明】
【００１４】
【００１５】
【図１】    袋の平面図
【図２】    洗い袋にお米を入れ口を塞いだ時の状態
【図３】    水に濁りが無いお米の透明性と釜にセットした状態
【符号の説明】
【００１６】符号（１）は，  手洗の袋。
符号（２）は，  隅，又は角を丸く。
符号（３）は，  紐
【図１】
2006102448.tif 000003
【図２】
2006102448.tif 000004
【図３】
2006102448.tif 000005
【手続補正書】
【提出日】平成17年3月17日(2005.3.17)
【手続補正１】
【補正対象書類名】特許請求の範囲
【補正対象項目名】全文
【補正方法】変更
【補正の内容】
【特許請求の範囲】
【請求項１】
密度を高くする為に  袋に米を入れ，口を塞ぎ，水に侵し，外部より揉む圧力を加えると米と米の摩擦が発生し付着している皮膜や不純物が分解され奇麗な米にしあげる補助具，袋を利用した米の洗い方が発明の対象袋体で洗浄する袋を特徴とする。
【請求項２】
〔図１〕符号２に示す，底部の角となる部分に米粒が滞り，循環や出し入れが悪くなる為に角を取り除いた器具，袋の特徴である。
【手続補正書】
【提出日】平成17年4月27日(2005.4.27)
【手続補正１】
【補正対象書類名】明細書
【補正対象項目名】全文
【補正方法】変更
【補正の内容】
【発明の詳細な説明】
【技術分野】
【０００１】    日本国民の主食，お米を炊飯時に洗う（袋）補助具
【背景技術】
【０００２】
【特許文献１】
【特許文献２】
【非特許文献１】
【非特許文献２】
【発明の開始】
【発明が解決しようとする課題】
【０００３】奇麗に楽に衛生的にお米を洗う方法
【０００４】お米を均等に白く洗う事
【課題を解決するための手段】
【０００５】古来から引き継がれて来たお米の洗い方（水と米を混合し手でかき回し，濯ぎ洗い）をして終わるのですが，奇麗に洗えない。そこでイメージチェンジを働かせ  他になにか良い方法はないかと考える中で，袋にお米を収納水に侵し洗ってみた結果テスト洗いに成功袋を利用して洗うと衛生的且つ容易にする事が判った。
【０００６】袋に米を入れ余裕を持たして上部を紐で結ぶ，水に侵し上部を軽く押さえ揺らす様に掻き回すと水が白くなり米と米の摩擦でお米に付着している糠や不純物が分解され奇麗なお米になる事が判った。
【発明の効果】
【０００７】お米にやさしく斑なく均等したお米の洗いが簡単にできた。
【発明を実施するための最良の形態】
【０００８】企業体系を整える。【０００９】若い女性をターゲットに宣伝すると共にお米に係わる流通機関に販売目標
【実施例】
【００１０】お米を簡単に斑なく奇麗に洗えると言うキャチフレーズで宣伝する。
【産業上の利用可能性】
【００１１】    お米は日本国民の主食であり，衛生的で容易にお米が洗える事が世間に判って戴ける事が一番大切なことでスーパーの店頭等で実技宣伝をして行く。【００１２】流通機関のお米に添付販売【００１３】    需要性が大きく消耗品で商品が安く大量生産が可能
【図面の簡単な説明】
【００１４】
【図１】    袋の平面図
【図２】    洗い袋にお米を入れ口を紐で結んだ状態
【図３】    水に濁りが無い，お米を釜にセットした状態
【符号の説明】
【００１５】    符号（１）は，  手洗いの袋
符号（２）は，  隅，角を丸く
符号（３）は，  紐
(57)【要約】      （修正有）【課題】傾斜面をつくることにより、斜面でのゴルフ練習ができるようにしたゴルフの斜面練習器を提供する。【解決手段】下板と上板の間に、傾斜を有する下円盤と上円盤を、支柱により回動自在に組み込み、下板と上板には関連をもつ回動防止具を設けることを特徴とするゴルフの斜面練習器。【選択図】図１
2006102470.tif 000002
【特許請求の範囲】
【請求項１】
下板と上板の間に、傾斜を有する下円盤と上円盤を、支柱により回動自在に組み込み、下板と上板には関連をもつ回動防止具を設けることを特徴とするゴルフの斜面練習器。
【発明の詳細な説明】
【技術分野】
【０００１】  本発明は、ゴルフの練習でボールを打つ時に、地上面が水平なだけでなく、傾斜角度とその方向を自由に設定出来るようにしたゴルフの斜面練習器に関するものである。
〔背景技術〕【０００２】  従来、ゴルフの練習でボールを打つ時、水平面での練習はどこででもできたが、斜面での練習については電動力等を使用した高価で大がかりの物はありました。又、自然の傾斜地形を利用していた。又、板の下に物体を置いて傾斜角度を作ったりして練習をしていた。
〔発明の開示〕
〔発明が解決しようとする課題〕【０００３】  そのために、次のような問題点があった。
電動力等を使用したものでは、高価で簡単に入手できない。又、斜面のある自然な場所を探すのは大変です、かりに自然な場所があっても、斜面の角度や方向が一定なので、いろいろ変えて練習するのがなかなかできなかった。
又、板の下にものを置いて斜面をつくり練習してみると安定が悪かったり、希望する傾斜角度等が得られなかった。
本発明は以上の問題点を解決しようとするものである。
〔課題を解決するための手段〕【０００４】  下板と上板の間に、傾斜を有する下円盤と上円盤を、支柱により回動自在に組み込み、下板と上板には関連をもつ回動防止具を設けることを特徴とするゴルフの斜面練習器。
〔発明の効果〕【０００５】    本発明は、安価で本体の持ち運びが容易にでき、自分の希望する傾斜角度と、その方向を自由に得ることができる。
〔発明を実施するための最良の形態〕【０００６】  以下、本発明の実施の形態について説明する。
（イ）４隅に高さ調節ネジ具（１）を設けた下板（２）の中央付近に支柱（３）を設け、その周辺任意部に回動防止凸具（４）を設ける。
（ロ）外周辺部分に多数のつまみ（５）と、高低を区別するための表示（６）を設け、中央に貫通穴（７）を設けた下円盤（８）と上円盤（９）を回動自在に支柱（３）に組み込む。
（ハ）片側任意部に取り付け穴（１０）を設け、その周辺任意部裏面に回動防止凹具（１１）を設けた上板（１２）を、取り付け具（１３）にて支柱（３）の先端部に取り付ける。
（ニ）人工芝（１４）を、上板（１２）の上面に取り付ける。
本発明は、以上の構成よりなっている。
本発明を使用する時の一側を説明すると、まず、ゴフフ練習の可能な場所に本体を置き、地表の凸凹に合わせる高さ調節ネジ具（１）を調整し本体をできるだけ水平になるようにする。次に、上円盤（９）の表示（６）の大と、下円盤（８）の表示（６）の大を、多数のつまみ（５）をもって回動させ手前にもってくる。この時、傾斜角度は最大となっている。次に、上円盤（９）と下円盤（８）を一緒に同じ方向に回動させ、希望する高低の方向に向ける。次に、その位置（方向）で希望する傾斜角度を得るために、上円盤（９）と下円盤（８）の多数のつまみ（５）をもって、上円盤（９）と下円盤（８）を逆方向へ回動さす。すると傾斜角度がゆるくなってくるので希望する角度になった時点で回動を止める、これで使用可能となる。又、回動を止めずにそのまま回動を進めていくと水平状態になる。次に、人工芝（１４）の上に乗り、ゴルフボールを置き、そのボールを打つ練習をする。
【図面の簡単な説明】
【０００７】〔図１〕本発明の使用状態を示す斜視図
〔図２〕全体の分解斜視図
〔図３〕前方が下がった状態を示す側面図
〔図４〕前方が上がった状態を示す側面図
〔図５〕上円盤の平面図（表示は、わかりやすくするため周辺に記載）
〔図６〕下円盤の平面図（表示は、わかりやすくするため周辺に記載）
〔図７〕支柱に上板を取り付けた状態の部分側面図
〔図８〕支柱に角度を変えて上板を取り付けた状態の部分側面図
〔図９〕回動防止具が傾いて深く接した状態の部分正面図
〔図１０〕回動防止具が傾いて浅く接した状態の部分正面図
〔図１１〕回動防止具が傾いて深く接した状態の部分側面図
〔図１２〕回動防止具が傾いて浅く接した状態の部分側面図
【符号の説明】
【０００８】  １  高さ調節ネジ具
２  下板
３  支柱
４  回動防止凸具
５  つまみ
６  表示
７  貫通穴
８  下円盤
９  上円盤
１０  取り付け穴
１１  回動防止凹具
１２  上板
１３  取り付け具
１４  人工芝
【図１】
2006102470.tif 000003
【図２】
2006102470.tif 000004
【図３】
2006102470.tif 000005
【図４】
2006102470.tif 000006
【図５】
2006102470.tif 000007
【図６】
2006102470.tif 000008
【図７】
2006102470.tif 000009
【図８】
2006102470.tif 000010
【図９】
2006102470.tif 000011
【図１０】
2006102470.tif 000012
【図１１】
2006102470.tif 000013
【図１２】
2006102470.tif 000014
(57)【要約】      （修正有）【課題】従来は、バターナイフだけあり、マーガリンナイフはない。そのため、マーガリンは軟らかくて、最後を容器から取るのに、手間がかかりなかなかとれなかった。それを形を変えマーガリンの特徴に合うようにし、マーガリン専用のナイフ（マーガリンナイフ）として提供する。【解決手段】先端１を平坦にし側面２との間に角を作り、側面２は直線を両方にもうける。取っ手３はバターナイフ等のようにマーガリン容器にピッタリマッチし、ふたがきちんとしまる大きさにする。【選択図】図１
2006102469.tif 000002
【特許請求の範囲】
【請求項１】
バターナイフを平垣にし角をつくりマーガリンが取りやすくしたマーガリンナイフ。
【発明の詳細な説明】
【技術分野】
【０００１】この発明は、マーガリンが容器から残さず取れるマーガリン専用のマーガリンナイフに関するものである。
〔背景技術〕【０００２】従来。バターナイフをマーガリンに使っていた。
〔発明の開示〕
〔発明が解決しようとする課題〕【０００３】これはつぎのような問題点があった。
軟らかいマーガリンは容器の底や側面に最後についているがきれいにとれない。
本発明は以上のような欠点をなくすためになされたものである。
〔課題を解決するための手段〕【０００４】バターナイフの先端を平坦にし角をつくり側面にも直線をつくり、以上の構成よりなるマーガリンナイフである。
〔発明の効果〕【０００５】先端が平坦で角があり側面にも直線をつくり、軟らかい容器入りマーガリンは最後まできちんと残さず取れて無駄がなくなった。取っ手は容器にマッチする大きさで、ふたがきちんとしまり整理しやすい。
〔発明を実施するための最良の形態〕【０００６】以下、本発明の実施例について説明する。
ナイフの（１）の部分を平坦にし、側面（２）との間に角をつくる。
側面（２）は直線を両方にもうける。取っ手（３）は、バターナイフ等のように、マーガリン容器の溝にマッチする大きさとする。
本発明は、以上のような構造でこれを使用するとマーガリンが容器から最後までとれて無駄がなくなる。
【図面の簡単な説明】
【０００７】〔図１〕本発明の斜視図である。
〔図２〕又側面図である。
【符号の説明】
【０００８】１  先端の平坦な部分（底をとる）
２．側面の直線部分（側面をとる）
３．取っ手（ナイフを握る）
【図１】
2006102469.tif 000003
【図２】
2006102469.tif 000004
(57)【要約】【課題】    軽量、且つ偏平に折りたたみできる携帯用コップ立てを提供する。【解決手段】    横長状の家形をした断面が５角形の筒体のすべてのりょう角部、及び底部の中央を長手方向に設けた折り目を折曲自在にできるようにすると共に、その底部の上面に、中底板を重ね合わせて長辺の一側にて貼着し、中底板の上面の中央には、長手方向と直交させた仕切板を起倒自在に貼着して、筒体の上部に複数のコップ挿入口を開けた携帯用コップ立て。【選択図】    図１
2006102465.tif 000002
【特許請求の範囲】
【請求項１】
横長状の家形をした断面が５角形の筒体（１）のすべてのりょう角部（２）、及び底部（３）の中央を長手方向に設けた折り目（４）を折曲自在にできるようにすると共に、その底部（３）の上面に、中底板（５）を重ね合わせて長辺の一側にて貼着し、中底板（５）の上面には、長手方向と直交させた仕切板（６）を起倒自在に貼着して、筒体（１）の上部に複数のコップ挿入口（７）を開けた携帯用コップ立て。
【発明の詳細な説明】
【技術分野】
【０００１】  本発明は、軽量、且つ偏平に折りたたみできる携帯用コップ立てに関するものである。
【背景技術】
【０００２】  従来、軽量で下方にテ−パ−しているペ−パ−コップは、中身が少量のとき、又は芝生上など置き場所が不安定なときに、横風をうけると転倒し易いために、屋外では転倒防止用のコップ立てが必要であったが、公知のコップ立ては室内用、又は車内用であって、屋外へ携帯して使用するに適したものがなかった。従って、屋外で使用中のペ−パ−コップは、風が吹くたびに手に持つか、手を添えて支えるなどの方法をとっていた。
【発明の開示】
【発明が解決しようとする課題】
【０００３】  そのために、次のような問題点があった。
屋外でペ−パ−コップを使用しているとき、風で転倒することを防止するために手で持つか、手を添えるので、風が吹くたびに手がふさがって不便であり、頻繁な場合には面倒であった。
【課題を解決するための手段】
【０００４】  横長状の家形をした断面が５角形の筒体（１）のすべてのりょう角部（２）、及び底部（３）の中央を長手方向に設けた折り目（４）を折曲自在にできるようにすると共に、その底部（３）の上面に、中底板（５）を重ね合わせて長辺の一側にて貼着し、中底板（５）の上面には、長手方向と直交させた仕切板（６）を起倒自在に貼着して、筒体（１）の上部に複数のコップ挿入口（７）を開けた携帯用コップ立てである。
【発明の効果】
【０００５】  本発明は、軽量で折りたたむと偏平になるので、ポケット等に入れてもかさばらず、屋外への携帯が便利である。組立てると全体が家形となってペ−パ−コップを安定に保持して、横風による転倒を防止し得ると共に、上部が山形になるので、使用時にはペ−パ−コップの側面が掴み易い。
【発明を実施するための最良の形態】
【０００６】  以下、本発明の実施の形態を説明する。
（イ）横長状の家形をした断面が５角形の筒体（１）を薄い紙板にて形成する。
（ロ）筒体（１）のすべてのりょう角部（２）、及び底部（３）の中央を長手方向に設        けた折り目（４）を折曲自在にできるようにする。
（ハ）底部（３）の上面に、その上面より形状を小にした中底板（５）を重ね合わせ長        辺の一側にて貼着する。
（ニ）筒体（１）の開口部より形状を小にした仕切板（６）を下方に延長して、折曲自        在の糊しろを形成する。
（ホ）その仕切板（６）を筒体（１）の中央に長手方向と直交するように起立させ、下        方の糊しろにて中底板（５）の上面に起倒自在に貼着する。
（ヘ）筒体（１）の上部に、ペ−パ−コップが接触しない間隔にて２つのコップ挿入口        （７）を開ける。
本発明は、以上の構成よりなっている。
これを折りたたむときは、筒体（１）の内部に起立している仕切板（６）を倒して中底板（５）に重ね合わせた後、底部（３）を折り目（４）から山折りにすると同時に、すべてのりょう角部（２）を折曲げ、又はのばして筒体（１）を２つ折りにすると、底部（３）、中底板（５）、及び仕切板（６）が重なり合って筒体（１）の内側に挟まれるから、全体が偏平に折りたたまれる。
これを組立てて使用するときは、すべてのりょう角部（２）、及び底部（３）の折り目（４）を折曲げ、又はのばして筒体（１）を横長状の家形にする。ついで、中底板（５）を底部（３）に重ね合わせた後、仕切板（６）を起立させて筒体（１）の形状を内側から保持する。上部に開口しているコップ挿入口（７）にペ−パ−コップを差入れて使用するが、風をうけてもペ−パ−コップの側面をコップ挿入口（７）が支えて転倒を防止する。
【図面の簡単な説明】
【０００７】
【図１】  本発明の使用状態を示す斜視図
【図２】  本発明に右側面図
【図３】  本発明の半ば折りたたみ状態を示す右側面図
【符号の説明】
【０００８】      １  筒体
２  りょう角部
３  底部
４  折り目
５  中底板
６  仕切板
７  コップ挿入口
８  ペ−パ−コップ
【図１】
2006102465.tif 000003
【図２】
2006102465.tif 000004
【図３】
2006102465.tif 000005
(57)【要約】【課題】将棋の駒又は碁石を動かすのに将棋の駒又は碁石をにぎった手を直線的にその部位にもっていく。【解決手段】盤板４，５の１目毎に支柱３，６を立てて個個にした乗せ台７，９，２０，２２を固着させる。乗せ台と乗せ台に間を空けて指又はピンセットが入る程度にし下の将棋の駒又は碁石を自由に移動する事が出来るものとする。支柱は乗せ台の端に取り付ける事もある。そして将棋の駒を厚くして厚くした所に任意の文字を書く。【選択図】図１
2006102468.tif 000002
【特許請求の範囲】
【請求項１】
将棋盤（４）及び碁盤（５）に支柱（３），（６）を立てて乗せ台（９），（７）を設ける事を特徴とした多段面囲碁又は将棋。
【請求項２】
将棋の駒を厚くして側面（ｃ面）にも任意の文字を書く事を特徴とした将棋駒。
【発明の詳細な説明】
【技術分野】
【０００１】囲碁又は将棋を複数段面にする事に関するものである。
【背景技術】
【０００２】特願２０００−１７１３１８等があるが１枚の盤板が複数段面になっていた。
【発明の開示】
【発明が解決しようとする課題】
【０００３】上から見やすくて将棋の駒又は碁石を動かすのに距離をできるだけ短かくする。
【課題を解決するための手段】
【０００４】盤板から２段目以上の盤板を細かくして間を空けて乗せ台とし、乗せ台を支柱で支える。乗せ台の端に支柱を立てる事もある。【０００５】将棋の駒を厚くして側面にも任意の文字を書く。
【発明の効果】
【０００６】下の方の将棋の駒又は碁石を上又は斜め上に直接運ぶ事が出来る。上の将棋の駒又は碁石を直接下又は斜め下に運ぶ事が出来る。下の方の将棋の駒又は碁石を斜め上から見やすい、相手方にも将棋の駒又は碁石の運び具合がわかる。【０００７】将棋の駒が転びにくい。将棋の駒を四面に文字が書ける事により四通りの働きをさせる事が出来る。
【発明を実施するための最良の形態】
【０００８】盤板に１目毎に支柱３，６を立てて個個の乗せ台９，７を固着する。乗せ台と乗せ台に指が入いる程度の間を空ける。支柱は、乗せ台の右端又は左端に設ける事もある。【０００９】１部の将棋の駒を厚くして側面にも任意の文字を書く。
【実施例】
【００１０】盤板に１目毎に支柱３，６を立てて個個の乗せ台９，７を固着する。乗せ台と乗せ台に指が入いる程度の間を空けて下の将棋の駒又は碁石をつまむ事が出来るものとする。乗せ台の右端又は左端に設ける事もある。【００１１】１部の将棋の駒を厚くして側面（ｃ面）にも任意の文字を書く。
【産業上の利用可能性】
【００１２】囲碁又は将棋を立体的のゲームにする事に関するものである。
【図面の簡単な説明】
【００１３】
【図１】多段面囲碁又は将棋の立面図
【図２】Ａ−Ａ断面図
【図３】Ｂ−Ｂ断面図
【図４】将棋の駒の斜視図
【符号の説明】
【００１４】１          角
２，１０    将棋の駒
３，６      支柱
４，５      盤板
７，９      乗せ台
８，１１    碁石
【図１】
2006102468.tif 000003
【図２】
2006102468.tif 000004
【図３】
2006102468.tif 000005
【図４】
2006102468.tif 000006
【手続補正書】
【提出日】平成17年7月15日(2005.7.15)
【手続補正１】
【補正対象書類名】特許請求の範囲
【補正対象項目名】全文
【補正方法】変更
【補正の内容】
【特許請求の範囲】
【請求項１】
将棋盤（４）及び碁盤（５）に支柱（３），（６）を立てて乗せ台（９），（７）を設ける事を特徴とした多段面囲碁又は将棋。
【請求項２】
将棋の駒を厚くして側面（Ｃ面）にも任意の文字を書く事を特徴とした将棋駒。
【請求項３】
碁盤（２２）に支柱（２１）を立てて棒を任意の形に曲げた乗せ台（２０）を支柱（２１）に設ける事を特徴とした多断面囲碁又は多段面将棋
【手続補正２】
【補正対象書類名】明細書
【補正対象項目名】全文
【補正方法】変更
【補正の内容】
【発明の詳細な説明】
【技術分野】
【０００１】囲碁又は将棋を複数断面にする事に関するものである。
【背景技術】
【０００２】特願２０００−１７１３１８等があるが１枚の盤板が複数段面になっていた。
【発明の開示】
【発明が解決しようとする課題】
【０００３】上から見やすくて将棋の駒又は碁石を動かすのに距離をできるだけ短かくする。
【課題を解決するための手段】
【０００４】盤板から２段目以上の盤板を細かくして間を空けて乗せ台とし、乗せ台を支柱で支える。乗せ台の端に支柱を立てる事もある。棒状を円、だ円、多角形に曲げて１部を支柱とし盤板に固着する。うず巻、ハート形等もある。【０００５】将棋の駒を厚くして側面にも任意の文字を書く
【発明の効果】
【０００６】下の方の将棋の駒又は碁石を上又は斜め上に直接運ぶ事が出来る。上の将棋の駒又は碁石を直接下又は斜め下に運ぶ事が出来る。下の方の将棋の駒又は碁石を斜め上から見やすい、相手方にも将棋の駒又は碁石の運び具合がわかる。【０００７】将棋の駒が転びにくい。将棋の駒を四面に文字が書ける事により四通りの働きをさせる事が出来る。
【発明を実施するための最良の形態】
【０００８】盤板に１目毎に支柱３，６を立てて個個の乗せ台９，７を固着する。乗せ台と乗せ台に指が入いる程度の間を空ける。支柱は、乗せ台の右端又は左端に設ける事もある。金属線を円状に曲げそしてさらに別方向軸に９０度曲げて支柱として盤板に固着する。【０００９】１部の将棋の駒を厚くして側面にも任意の文字を書く。
【実施例】
【００１０】盤板に１目毎に支柱３，６，２１，２３を立てて個個の乗せ台９，７，２０，２２を固着する。乗せ台７，と乗せ台９又は乗せ台２０，乗せ台２２に指が入いる程度の間を空けて下の将棋の駒又は碁石をつまむ事が出来るものとするか又はスポイトで吸着させてつまみ上げるか又はピンセットではさんでつまみ上げる間を設ける。支柱は、乗せ台の右端又は左端に設ける事もある。【００１１】１部の将棋の駒を厚くして側面（Ｃ面）にも任意の文字を書く。
【産業上の利用可能性】
【００１２】囲碁又は将棋を立体的のゲームにする事に関するものである。
【図面の簡単な説明】
【００１３】
【図１】多段面囲碁又は将棋の立体図
【図２】Ａ−Ａ断面図
【図３】Ｂ−Ｂ断面図
【図４】将棋の駒の斜視図
【図５】多段面囲碁又は将棋の立体図
【図６】Ｃ−Ｃ断面図
【図７】Ｄ−Ｄ断面図
【符号の説明】
【００１４】１                  角
２，１０            将棋の駒
３，６，２１，２３  支柱
４，５              盤板
７，９，２０，２２  乗せ台
８                  碁石
【手続補正３】
【補正対象書類名】図面
【補正対象項目名】全図
【補正方法】変更
【補正の内容】
【図１】
2006102468.tif 000007
【図２】
2006102468.tif 000008
【図３】
2006102468.tif 000009
【図４】
2006102468.tif 000010
【図５】
2006102468.tif 000011
【図６】
2006102468.tif 000012
【図７】
2006102468.tif 000013
(57)【要約】      （修正有）【課題】膝関節部の脛骨、下脛腓関節の腓骨が靭帯に付着している個所が弱ってくると一対になっている構造上、連動後方亜脱臼になり半月板が損傷し関節が不安定性になり膝痛が発生する。【解決手段】膝関節１の中心を膝用位置決めサポータ８の弾性繊維１１で圧迫固定することにより、下脛腓関節１３の固定ができ、膝関節の脛骨、下脛腓関節の腓骨が位置決め出来、半月板損傷による膝痛の発生を防止できる。【選択図】図２
2006102466.tif 000002
【特許請求の範囲】
【請求項１】
膝関節、下脛腓関節の位置を決めるには、弾性繊維圧迫固定サポータで膝関節の中心に装着すると容易に両関節の位置決めが出来る位置決め膝用サポータ。
【請求項２】
前記の位置決め膝用サポータで膝関節の脛骨、下脛腓関節の腓骨が靭帯で付着されている機能構造上一方が亜脱臼すると連動亜脱臼し半月板損傷による膝痛が発生することを防止する。
【発明の詳細な説明】
【技術分野】
【０００１】膝、下脛腓関節の連動転位による半月板損傷の防止を目的とすることで弱った靭帯、筋肉を弾性繊維の圧迫力で固定サポートするので膝痛の改善。
【背景技術】
【０００２】従来は、膝関節の側面、周囲をケーブルでサポートしたり膝関節のみを弾性繊維圧迫力で固定する方法では膝痛を改善することが難しかった。大腿骨と脛骨をサポートするのも有効でなかった。却の異常な姿勢を矯正法と述べているが膝関節機能構造理論上無理解な点が見られる。しかしこの方法では、膝関節と下脛腓関節が靭帯で付着しているので一方が転位すると連動転位が発生するので有効でない。大腿部域と脛部域をサポートしているが膝関節の中心部と脛部中心部の関節をサポートしないと連動転位を防止することは出来ない。この改善策として膝関節と下脛腓関節中心部に弾性繊維圧迫力で固定サポートすることで連動転位を防止する。
【発明の開示】
【発明が解決しようとする課題】
【０００３】膝関節痛の原因の多くは、膝関節と下脛腓関節が靭帯で付着しているので一方が後方に転位すると両関節が連動転位し不安定性になり膝痛が発生する。
【課題を解決するための手段】
【０００４】膝関節の脛骨部、下脛腓関節が機能解剖で正座は、曲折したり、歩行時屈伸運動する両関節は靱帯で付着されているので一方の関節の筋肉が弱ってくると連動変位が発生しこれを防止するには、弾性繊維で圧迫固定する。
【発明の効果】
【０００５】両関節を固定サポートすると短期間内に半月板靭帯損傷の改善になり膝痛が軽減することで歩行が楽になります。
【発明を実施するための最良の形態】
【０００６】膝、下脛腓関節を弾性繊維圧迫固定することで膝の安定性が増す。
【実施例】
【０００７】膝関節の脛骨部、下脛腓関節の腓骨部が靭帯で付着しているので連動して後方亜脱臼することによって安定性が低下し膝痛が発生することを防止するには、両関節部の中心に弾性繊維圧迫力で位置決めサポータで膝痛が改善。
【産業上の利用可能性】
【０００８】短期間内に改善する膝用サポータ
【図面の簡単な説明】
【０００９】
【図１】位置決め膝用サポータの装着正面図である
【図２】膝の外側靭帯
【符号の説明】
１  膝関節  ２  下脛腓関節  ３  大腿骨  ４  脛骨  ５  腓骨  ６  靭帯  ７  腓骨矢印方向に転位しやすい  ８  弾性繊維で圧迫固定  ９  半月板１０  大腿骨靭帯付着部１１  位置決め弾性繊維１２  膝中心位置決め弾性繊維１３  下脛腓関節靭帯付着部１４  膝関節部の脛骨矢印方向に転位しやすい
【図１】
2006102466.tif 000003
【図２】
2006102466.tif 000004